(57)【要約】【課題】  ドライアイスが減少しても、冷却媒体に片寄りの生じにくい保冷箱の提供。【解決手段】  開閉可能な天蓋部を有する保冷箱において、上面が開口した収納部が形成されているドライアイス収納中蓋を有し、前記収納部の底面部が、冷気を透過可能な透熱性材料と、前記透熱性材料を弛ませないようにするための形状保持材料と、を有することを特徴とする、保冷箱。【選択図】図２
2010216701.tif 000002
【特許請求の範囲】
【請求項１】
開閉可能な天蓋部を有する保冷箱において、
上面が開口した収納部が形成されているドライアイス収納中蓋を有し、
前記収納部の底面部が、冷気を透過可能な透熱性材料と、前記透熱性材料を弛ませないようにするための形状保持材料と、を有することを特徴とする、保冷箱。
【請求項２】
前記ドライアイス収納中蓋が、前記収納部の上面を覆う上蓋を有する、請求項１記載の保冷箱。
【請求項３】
前記上蓋が、断熱性部材から構成される、請求項２記載の保冷箱。
【請求項４】
前記ドライアイス収納中蓋には、前記収納部が複数形成されている、請求項１〜３のいずれか一項記載の保冷箱。
【請求項５】
前記ドライアイス収納中蓋が、前記複数の収納部の間に凸状部材を有する、請求項４記載の保冷箱。
【請求項６】
前記形状保持材料が樹脂製パンチングシートであり、前記収納部の前記底面部の裏面にて、前記底面部を構成する前記透熱性材料と前記樹脂製パンチングシートとが縫い合わされている、請求項１〜５のいずれか一項記載の保冷箱。
【発明の詳細な説明】
【技術分野】
【０００１】
本発明は、冷凍食品の輸送に用いられる保冷箱に関し、特に、ドライアイス収納手段を有する保冷箱に関する。
【背景技術】
【０００２】
冷凍食品の各小売店への配送は、冷蔵倉庫を装備した商品センターや卸売業者の冷蔵庫から−２０℃程度に冷却された冷凍食品を店舗ごとに小分けにして保冷箱内に収容して実施される。当該配送方法において使用する保冷箱として、保冷箱内に収容した冷凍食品の上面に、メッシュシート材をかぶせ、当該シート材にドライアイスを散布して冷凍容器内の冷凍食品を冷却して配送する方法が提案されている（特許文献１）。図６に示すように、特許文献１記載の保冷箱において用いられるメッシュシート材は、メッシュシートに外周と内部を十字に縁を付けたものである。当該メッシュシート材は、メッシュシート面が弛む状態に形成されていることから、冷凍食品の上に設置した時に、シート材が隣合う食品同士の隙間に入り込み、最上段にある冷凍食品を包み込む状態となることが特徴である。
【先行技術文献】
【特許文献】
【０００３】
【特許文献１】特開２０００−１０６８５８号公報
【発明の概要】
【発明が解決しようとする課題】
【０００４】
特許文献１記載の保冷箱によれば、ドライアイスが減少した際には、メッシュシートに弛みがあるので収容した冷凍食品の隙間に形成される窪みにドライアイスが集中してしまうため、冷凍食品の冷却に片寄りが生じる。そこで、本発明は、ドライアイスが減少しても、冷却媒体に片寄りの生じにくい保冷箱を提供することを第一の目的とする。
【０００５】
また、特許文献１記載の保冷箱によれば、移送中の振動等によりドライアイスがメッシュシートから落下するという問題が生じる。また、蓋を開閉すると、冷気が逃げてしまうためドライアイスも消耗しやすかった。そこで、本発明は、ドライアイスが落下しにくく、且つ、ドライアイスの消耗を抑える手段を提供することを第二の目的とする。
【課題を解決するための手段】
【０００６】
本発明（１）は、開閉可能な天蓋部（例えば、天蓋部１０５）を有する保冷箱において、
上面が開口した収納部（例えば、収納部２０１）が形成されているドライアイス収納中蓋（例えば、ドライアイス収納中蓋２００）を有し、
前記収納部の底面部（例えば、底面部２０７）が、冷気を透過可能な透熱性材料（例えば、透熱性材料２１１）と、前記透熱性材料を弛ませないようにするための形状保持材料（例えば、形状保持材料２１３）と、を有することを特徴とする、保冷箱（例えば、保冷箱１００）である。
【０００７】
本発明（２）は、前記ドライアイス収納中蓋が、前記収納部の上面を覆う上蓋（例えば、上蓋２０３）を有する、前記発明（１）の保冷箱である。
【０００８】
本発明（３）は、前記上蓋が、断熱性部材から構成される、前記発明（２）の保冷箱である。
【０００９】
本発明（４）は、前記ドライアイス収納中蓋には、前記収納部が複数形成されている、前記発明（１）〜（３）のいずれか一つの保冷箱である。
【００１０】
本発明（５）は、前記ドライアイス収納中蓋が、前記複数の収納部の間に凸状部材（例えば、凸状部材２０５）を有する、前記発明（４）の保冷箱である。
【００１１】
本発明（６）は、前記形状保持材料が樹脂製パンチングシートであり、前記収納部の前記底面部の裏面にて、前記底面部を構成する前記透熱性材料と前記樹脂製パンチングシートとが縫い合わされている、前記発明（１）〜（５）のいずれか一つの保冷箱である。
【００１２】
ここで、本明細書において使用する用語の意味について説明する。「中蓋」とは、二重蓋になっている容器の内側の蓋を意味し、収容物の上部に位置すれば特に限定されず、落し蓋のような蓋も含まれる概念である。
【発明の効果】
【００１３】
本発明（１）によれば、ドライアイスが減少しても、ドライアイスに片寄りが生じにくくなるという効果を奏する。
【００１４】
本発明（２）によれば、保冷箱の中のものを取り出す際に収納部を直立させたような場合であっても、ドライアイスを収納部に収納可能となるという効果を奏する。
【００１５】
本発明（３）によれば、天蓋を開閉してもドライアイスの消耗を抑えることができるという効果を奏する。
【００１６】
本発明（４）によれば、保冷箱を傾けてもドライアイスの片寄りが少なくなるという効果を奏する。
【００１７】
本発明（５）によれば、ドライアイス収納中蓋にドライアイスを入れる際に、収納部の間に留まらずに、収納部内へと転がるため、作業性がよくなるという効果を奏する。
【００１８】
本発明（６）によれば、収納部の底面部により剛性を持たせられることが可能になると共に収納部内がより段差のすくない空間となる結果、ドライアイスの片寄りが生じにくくなるという効果を奏する。
【図面の簡単な説明】
【００１９】
【図１】図１は、本最良形態に係る保冷箱１００の概略構成図である。
【図２】図２は、本最良形態に係る保冷箱１００とドライアイス収納中蓋２００の概略構成図である。
【図３】図３（ａ）は本最良形態に係るドライアイス収納中蓋２００の上蓋が閉じた状態である形態を示す正面斜視図であり、図３（ｂ）は本最良形態に係るドライアイス収納中蓋２００の上蓋が開いた状態である形態を示す正面斜視図であり、図３（ｃ）は本最良形態に係るドライアイス収納中蓋２００の底面斜視図であり、図３（ｄ）は本最良形態に係るドライアイス収納中蓋２００のａ−ａ’断面図である。
【図４】図４は、本最良形態に係る保冷箱１００の折りたたみ機構を示す図である。
【図５】図５は、本最良形態に係る保冷箱１００の折りたたみ機構を示す図である。
【図６】図６は、特許文献１のメッシュシート材の概略構成図である。
【発明を実施するための形態】
【００２０】
以下、図面を参照しながら、本発明における最良形態について説明する。ここでは、折りたたみ可能な保冷箱の一例を示す。尚、本最良形態は、あくまで本発明の保冷箱の一例に過ぎず、当該形態に何ら限定されるものではない。
【００２１】
図１は、本最良形態に係る保冷箱１００の概略構成図である。保冷箱１００は、側壁部１０１と、底面部１０３と、上面に形成されている開閉可能な天蓋部１０５とを有する。これらは断熱部材により構成されており、保冷箱１００は、断熱材により形成された上記３部材に覆われた断熱空間Ｓを有する（図２参照）。側壁部１０１は、前面部１０７と、後面部１０９と、左右二つの側面部１１１とを有する。前面部１０７及び後面部１０９に使用する材料は硬質のものであってもよいが、天蓋部１０５、側面部１１１及び底面部１０３の材料は、特に限定されないが、後述する折りたたみ機構を設ける場合には、弾性のある圧縮されても形状が回復する材料を使用することが好適である。
【００２２】
天蓋部１０５は、後面部１０９の上端に形成されており、保冷箱の上面で開閉可能に構成されている。また、天蓋部１０５は、天蓋部の内面の端部に形成されている面ファスナー１０６ｂと、前面部１０７及び側面部１１１の上端に延長して設けられている面ファスナー代１１３及び１１５の上面に形成されている面ファスナー１１４ａ及び１１６ａとを張り合わせることにより固定可能な構成を有する。尚、面ファスナー代１１３の底面には面ファスナー１１４ｂが形成されており、前記面ファスナー１１６ａと貼り合わせることにより、面ファスナー代１１３と面ファスナー代１１５を固定することが可能である。更に、側面部１１１は、天蓋部１０５を閉じた状態に固定可能なフラップ部１１７をそれぞれ有しており（図１（ｂ）参照）、当該フラップ部に形成された面ファスナー（図示せず）と天蓋部１０５の上面に形成された面ファスナー（図示せず）とにより固定可能に構成されている。尚、天蓋部１０５の前端部には、後述する折りたたみ機構を設けるために、固定テープ１１９が形成されていることが好適である。以上のような構成で、本最良形態に係る保冷箱１００では外部との断熱が担保される。
【００２３】
続いて、本発明の特徴部分であるドライアイス収納中蓋について説明する。ここで、ドライアイス収納中蓋は、保冷箱１００とは別体部材として、保冷箱１００内に収納されている。そして、当該ドライアイス収納中蓋は、使用時には、保冷箱１００内に収納された冷凍食品の上に搭載される中蓋として前述した保冷箱１００の中蓋として機能する。以下、図２及び図３を参照しながら、本最良形態に係るドライアイス収納中蓋２００を詳述することとする。ここで、図２は、本最良形態に係るドライアイス収納中蓋２００の概略構成を示した図である。図３（ａ）は本最良形態に係るドライアイス収納中蓋２００の上蓋が閉じた状態である形態を示す正面斜視図であり、図３（ｂ）は本最良形態に係るドライアイス収納中蓋２００の上蓋が開いた状態である形態を示す正面斜視図であり、図３（ｃ）は本最良形態に係るドライアイス収納中蓋２００の底面斜視図であり、図３（ｄ）は本最良形態に係るドライアイス収納中蓋２００のａ−ａ’断面図である。ドライアイス収納中蓋２００は、保冷箱１００の断熱空間Ｓの上部をかぶせて使用する。ここで、ドライアイス収納中蓋２００の横幅及び奥行きの寸法は、保冷箱１００の断熱空間の内横幅及び内奥行きの寸法と略同一な形状を有することが好適である。図２に示すように、ドライアイス収納中蓋２００は、ドライアイスを収納可能な上面が開口した複数（４個）の収納部２０１を有しており、これら収納部すべての上面を覆うことが可能な上蓋２０３を有する。更に、上蓋２０３の内面に面ファスナー２０４ａを設けて、収納部２０１の上部に設けられている面ファスナー２０４ｂと張り合わせて固定することもできる。当該上蓋２０３を有することにより、断熱空間Ｓ内に収納したものを取り出す際に収納部２０１を直立させたような場合であっても、ドライアイスを収納部に収納可能となる。上蓋２０３は、断熱部材を有することが好適である。当該断熱部材を有することにより、収納したドライアイスの減少を抑制することが可能となる。また、上蓋２０３は、端延長部２０３ａを有することが好適である（図３参照）。一方、上蓋２０３のヒンジ部分にヒンジ延長部２０６が設けられていることが好適である。当該構成を有することにより、ドライアイス収納中蓋による断熱空間Ｓの密閉性が向上する。尚、保冷箱１００内でドライアイス収納中蓋２００の変位を担保しつつも保冷箱１００からの完全な分離を防止すべく、ドライアイス収納中蓋２００のヒンジ延長部２０６と保冷箱１００との間には、布製テープのような分離防止手段（図示せず）が備えられている。また、図３（ａ）に示すように、上蓋２０３の背面には、断熱空間Ｓ内に収納されているものを取り出す際に便利なように、持ち手２０８を設けることが好適である。
【００２４】
本最良形態に係るドライアイス収納中蓋２００は、前述のように、複数の収納部を有することが好適である。当該構成を有することにより、保冷箱１００を傾けても収納部のドライアイスが片寄らない。また、当該複数の収納部を有する場合、図３（ｄ）に示すように、当該収納部と収納部の間及び周縁には、凸状部材２０５が設けられていることが好適である。凸状部材は特に限定されないが例えばポリプロピレン樹脂で構成される。当該構成を有することにより、ドライアイスを収納する際に、収納部の間にドライアイスが載らず、収納部の内部へと転がって移動するため、作業効率が向上する。ここで、求められる機能を踏まえると、凸状部材の形状としては、その断面が円弧形状であることが好適であり、凹凸のない滑らかな表面であればよい。
【００２５】
上面が開口した収納部２０１は、底面部２０７を有し、収納空間を拡大するためマチ部２０９を有することが好適である。底面部２０７は、冷気を透過可能な透熱性材料２１１と、当該透熱性材料を弛ませないようにするための形状保持材料２１３により構成されていることを特徴とする。ここで、透熱性材料２１１としては、冷気を断熱空間内に取り込み可能であり、収納部２０１に収納されたドライアイスが落下しないものであれば、特に限定されないが、例えば、金網、樹脂製の格子状網、水泳キャップ等に使用されている伸縮性のある編みこみのメッシュ生地が挙げられる。一方、形状保持部材としては、前記透熱性部材を弛ませないようにし、底面部の透熱性を阻害しなければ、特に限定されないが、例えば、樹脂製（例えば発泡ポリエチレン樹脂製）のパンチングシートが挙げられる。底面部がこれらの部材を有することにより、ドライアイスが収納部２０１に収納されている際に、断熱空間Ｓ内が冷却されると共に、ドライアイスの重みによっても弛まないためドライアイスの残量が少なくなったとしても、一部にドライアイスが片寄らず均等に冷気を断熱空間Ｓ内に循環（散布）させることができる。ここで形状保持材料２１３として樹脂製のパンチングシートを用いた場合、収納部２０１の底面部とシート状部材とを当該底面部の裏面にて接触した状態で両者を縫い合わせる。このようにすることにより、収納部２０１の底面部により剛性を持たせられることが可能になると共に収納部内がより段差のすくない空間となる結果、粒状ドライアイスの片寄りが生じにくくなる。尚、マチ部２０９は、断熱空間Ｓ内への冷気がより効率的に流れるようにするために、例えば、前記透熱性材料と同様の素材により構成することが好適である。
【００２６】
本最良形態に係る保冷箱１００は、冷凍食品を配送するにあたり、断熱空間Ｓ内に冷凍食品を収容し、その上からドライアイス収納中蓋２００を載せ、当該ドライアイス収納中蓋の中に粒状ドライアイスを散布して、冷凍食品の冷却保存をして使用する。
【００２７】
次に、本最良形態に係る保冷箱１００の折りたたみ機構について説明する。まず、図４（ａ）に示すように本最良形態に係る保冷箱１００の天蓋部１０５を開ける。続いて、図４（ａ）及び（ｂ）に示すように、ドライアイス収納中蓋２００の持ち手２０８を後面側から底面側に押し込んで倒し、前面部１０７の内壁面に向けて折りたたんで密着させる。（図４（ｂ）参照）続いて、図５（ａ）に示すように、保冷箱１００本体を折りたたみ、更に、図５（ｂ）に示すように、天蓋部１０５を前面部１０７に密着させて折りたたみ、固定テープ１１９により、後面部１０９の下端に形成されている面ファスナー（図示しない）と張り合わせて固定して、保冷箱１００は折りたたまれた状態となる。
【符号の説明】
【００２８】
１００：保冷箱
１０５：天蓋部
２００：ドライアイス収納中蓋
２０１：収納部
２０３：上蓋
２０５：凸状部材
２０７：底面部
２１１：透熱性材料
２１３：形状保持材料
【図１】
2010216701.tif 000003
【図２】
2010216701.tif 000004
【図３】
2010216701.tif 000005
【図４】
2010216701.tif 000006
【図５】
2010216701.tif 000007
【図６】
2010216701.tif 000008